(57)【特許請求の範囲】
【請求項１】
複数の割符画像のうちの何れか１つを画面表示し、その他の割符画像を透明な印刷媒体に印刷し、前記画面表示された割符画像と、前記印刷された割符画像の全てとを重ね合わせることによって所定情報を認識可能とするような前記各割符画像を電子的に作成する電子的割符装置であって、
復元すべき画像である秘密画像及び利用する形態にあわせて決定された各割符を組み合わせたときにどの秘密画像が復元されるかを表す割符の組み合わせ情報に基づいて複数の割符画像を電子的に作成する第１の割符画像作成手段と、
前記第１の割符画像作成手段によって作成された１ないし複数の割符画像を透明な印刷媒体に、前記各印刷媒体が配布される配布先のＩＤ番号を付して印刷する印刷手段と、
前記配布先より前記印刷媒体が提示された場合には、前記印刷媒体に印刷されたＩＤ番号、前記秘密画像及び前記割符の組み合わせ情報に基づいて、前記提示された印刷媒体に印刷された割符画像と重ね合わせることによって前記所定情報を認識可能とするような割符画像を電子的に作成する第２の割符画像作成手段と、
前記第２の割符画像作成手段によって作成された割符画像を画面表示する画面表示手段と
を備え、
前記画面表示手段によって画面表示された割符画像と、前記印刷媒体に印刷された割符画像との重ね合わせ位置を示す目印を、前記画面表示手段から画面表示させるようにし、
前記画面表示手段によって画面表示された割符画像のサイズを、前記印刷媒体に印刷された割符画像のサイズに調整するサイズ調整手段を付加し、
前記印刷手段は、所定基本色が印刷されてなる色見本を前記印刷媒体に印刷する一方、前記印刷手段によって印刷された色見本に基づいて、前記画面表示される割符画像の前記所定基本色を調整する色調整手段を付加する
ことを特徴とする電子的割符装置。
【請求項２】
複数の割符画像のうちの何れか１つを画面表示し、その他の割符画像を透明な印刷媒体に印刷し、前記画面表示された割符画像と、前記印刷された割符画像の全てとを重ね合わせることによって所定情報を認識可能とするような前記各割符画像を電子的に作成する電子的割符方法であって、
復元すべき画像である秘密画像及び利用する形態にあわせて決定された各割符を組み合わせたときにどの秘密画像が復元されるかを表す割符の組み合わせ情報に基づいて複数の割符画像を電子的に作成し、
前記作成された１ないし複数の割符画像を透明な印刷媒体に、前記各印刷媒体が配布される配布先のＩＤ番号を付して印刷し、
前記配布先より前記印刷媒体が提示された場合には、前記印刷媒体に印刷されたＩＤ番号、前記秘密画像及び前記割符の組み合わせ情報に基づいて、前記提示された印刷媒体に印刷された割符画像と重ね合わせることによって前記所定情報を認識可能とするような割符画像を電子的に作成し、
この作成された割符画像を画面表示し、
この画面表示された割符画像と前記印刷媒体に印刷された割符画像とを重ね合わせることによって前記所定情報を認識するようにし、
前記画面表示された割符画像に、前記印刷媒体に印刷された割符画像との重ね合わせ位置を示す目印を合わせて表示し、
前記画面表示された目印に合わせることによって、前記画面表示された割符画像と前記印刷媒体に印刷された割符画像とを重ね合わせるようにし、
前記画面表示された割符画像のサイズを、前記印刷媒体に印刷された割符画像のサイズに調整し、しかる後に前記画面表示された割符画像と前記印刷媒体に印刷された割符画像とを重ね合わせるようにし、
所定基本色が印刷されてなる色見本を前記印刷媒体に印刷し、この色見本に基づいて、前記画面表示される割符画像の前記所定基本色を調整し、しかる後に前記画面表示された割符画像と前記印刷媒体に印刷された割符画像とを重ね合わせるようにした
ことを特徴とする電子的割符方法。
【請求項３】
請求項１に記載の電子的割符装置において印刷される電子的割符において、
単独では認識が不可であり全てを重ね合わせることによって所定情報を認識可能とする複数の割符画像のうちの１つの割符画像と、
前記割符画像と他の割符画像との重ね合わせ位置を示す目印と、
所定基本色からなる色見本と
が透明シート上に印刷されてなることを特徴とする電子的割符。
【請求項４】
請求項３に記載の電子的割符において、
前記透明シートが配布される配布先のＩＤ番号が、前記透明シート情報に印刷されてなることを特徴とする電子的割符。
【発明の詳細な説明】
【０００１】
【発明の属する技術分野】
本発明は、電子的割符、電子的割符装置、および電子的割符方法に係り、更に詳しくは、単独では認識が不可であり、全てを重ねることによって所定情報が認識可能となる電子的に作成された電子的割符、その電子的割符を作成する方法およびその装置に関する。
【０００２】
【従来の技術】
電子的割符とは、特願平１１−３００８７１号公報で開示、あるいは特願２０００−８２５１３に記述されているように、ある情報を複数の割符画像に分割し、おのおの分割された割符画像だけでは情報を識別することができないが、分割された全ての割符画像を重ね合わせると分割前の元の情報を復元できるという技術である。
【０００３】
例えば、図１４に示すように、分割された割符画像Ａ（１）および割符画像Ａ（２）を、紙やフィルムなどの印刷媒体からなる割符シート１７（１）および割符シート１７（２）に印刷し、それら印刷された割符画像Ａ（１）と割符画像Ａ（２）とを重ね合わせることで分割前の元の画像情報Ａ（３）を復元し、文字や絵柄（図１４の例の場合、「ＰＡＴＴＥＲＮ」という文字）が認識される。
【０００４】
【発明が解決しようとする課題】
しかしながら、このような従来の電子的割符では、以下のような問題がある。
【０００５】
すなわち、割符画像を紙などの印刷媒体に印刷する場合、一旦印刷された割符画像を変更することができない。このため、復号されて得られる画像をその場で操作することは不可能である。
【０００６】
このために、従来の電子的割符では、多くの組み合わせバリエーションを作り出すことができず、柔軟性に欠けるために、用途がある程度限定されてしまう。
【０００７】
そこで、一対の割符画像のうち、一方を従来技術と同様に紙などの印刷媒体に印刷する一方、他方をディスプレイ上に表示する技術が考えられている。ディスプレイ上に表示する割符画像は、印刷媒体に印刷されている割符画像のパターンに応じて適宜操作したものを表示することによって、意図的に復元画像を得ることができるようになるために、柔軟性が高められ、その応用範囲が広がる。
【０００８】
しかしながら、ディスプレイは紙などの印刷媒体とは異なり、種類や型式によって表示される割符画像の大きさが若干異なる。電子的割符では、一対の割符画像を正確に重ね合わせることによって復元画像が得られるものであるから、ディスプレイ上に表示される割符画像の大きさを、印刷媒体の大きさに調整することが不可欠となる。
【０００９】
また、割符画像が表示されたディスプレイ上に、割符画像が印刷された紙などの印刷媒体を正しく重ね合わせることができるような工夫も必要となる。
【００１０】
更に、復元画像は、一対の割符画像の色表示パターンにも依存する。しかしながら、ディスプレイから表示される割符画像の色もまた、ディスプレイの種類や型式によってそれぞれ若干異なる。したがって、ディスプレイから表示された割符画像の色を、紙などの印刷媒体の割符画像と重ね合わせたときに所定の復元画像が得られるように色調整できるような工夫も必要となる。
【００１１】
本発明はこのような事情に鑑みてなされたものであり、割符シートに印刷された割符画像に基づいて、所望の画像が復元できるような割符画像を作成し、この割符画像をディスプレイ上に表示し、表示された割符画像と割符シートに印刷された割符画像とを重ね合わせることによって所望の画像を復元し、もって、所望の画像を復元時に操作することができる電子的割符、電子的割符装置、および電子的割符方法を提供することを目的とする。
【００１２】
【課題を解決するための手段】
上記の目的を達成するために、本発明では、以下のような手段を講じる。
【００１７】
請求項１の発明では、複数の割符画像のうちの何れか１つを画面表示し、その他の割符画像を透明な印刷媒体に印刷し、画面表示された割符画像と、印刷された割符画像の全てとを重ね合わせることによって所定情報を認識可能とするような各割符画像を電子的に作成する電子的割符装置であって、復元すべき画像である秘密画像及び利用する形態にあわせて決定された各割符を組み合わせたときにどの秘密画像が復元されるかを表す割符の組み合わせ情報に基づいて複数の割符画像を電子的に作成する第１の割符画像作成手段と、第１の割符画像作成手段によって作成された１ないし複数の割符画像を透明な印刷媒体に、各印刷媒体が配布される配布先のＩＤ番号を付して印刷する印刷手段と、配布先より印刷媒体が提示された場合には、印刷媒体に印刷されたＩＤ番号、秘密画像及び割符の組み合わせ情報に基づいて、提示された印刷媒体に印刷された割符画像と重ね合わせることによって所定情報を認識可能とするような割符画像を電子的に作成する第２の割符画像作成手段と、第２の割符画像作成手段によって作成された割符画像を画面表示する画面表示手段とを備え、画面表示手段によって画面表示された割符画像と、印刷媒体に印刷された割符画像との重ね合わせ位置を示す目印を、画面表示手段から画面表示させるようにし、画面表示手段によって画面表示された割符画像のサイズを、印刷媒体に印刷された割符画像のサイズに調整するサイズ調整手段を付加し、印刷手段は、所定基本色が印刷されてなる色見本を印刷媒体に印刷する一方、印刷手段によって印刷された色見本に基づいて、画面表示される割符画像の所定基本色を調整する色調整手段を付加する。
【００１８】
従って、請求項１の発明の電子的割符装置においては、以上のような手段を講じることにより、印刷媒体に印刷された割符画像の配布先に応じて、ディスプレイのような画面表示手段に表示される割符画像のパターンを、意図的に作成することができる。
【００３１】
請求項２の発明の電子的割符方法では、複数の割符画像のうちの何れか１つを画面表示し、その他の割符画像を透明な印刷媒体に印刷し、画面表示された割符画像と、印刷された割符画像の全てとを重ね合わせることによって所定情報を認識可能とするような各割符画像を電子的に作成する電子的割符方法であって、復元すべき画像である秘密画像及び利用する形態にあわせて決定された各割符を組み合わせたときにどの秘密画像が復元されるかを表す割符の組み合わせ情報に基づいて複数の割符画像を電子的に作成し、作成された１ないし複数の割符画像を透明な印刷媒体に、各印刷媒体が配布される配布先のＩＤ番号、当該割符画像の発効日及び有効期限を付して印刷し、配布先より印刷媒体が提示された場合には、印刷媒体に印刷されたＩＤ番号に基づいて、提示された印刷媒体に印刷された割符画像と重ね合わせることによって所定情報を認識可能とするような割符画像を電子的に作成し、この作成された割符画像を画面表示し、この画面表示された割符画像と印刷媒体に印刷された割符画像とを重ね合わせることによって前記所定情報を認識するようにし、画面表示された割符画像に、印刷媒体に印刷された割符画像との重ね合わせ位置を示す目印を合わせて表示し、画面表示された目印に合わせることによって、画面表示された割符画像と印刷媒体に印刷された割符画像とを重ね合わせるようにし、画面表示された割符画像のサイズを、印刷媒体に印刷された割符画像のサイズに調整し、しかる後に画面表示された割符画像と印刷媒体に印刷された割符画像とを重ね合わせるようにし、所定基本色が印刷されてなる色見本を印刷媒体に印刷し、この色見本に基づいて、画面表示される割符画像の所定基本色を調整し、しかる後に画面表示された割符画像と印刷媒体に印刷された割符画像とを重ね合わせる。
【００３２】
従って、請求項２の発明の電子的割符方法においては、以上のような手段を講じることにより、印刷媒体に印刷された割符画像の配布先に応じて、ディスプレイのような画面表示手段に表示される割符画像のパターンを、意図的に作成することができる。
【００４３】
請求項３の発明では、請求項１の発明の電子的割符装置において印刷される電子的割符において、単独では認識が不可であり全てを重ね合わせることによって所定情報を認識可能とする複数の割符画像のうちの１つの割符画像と、割符画像と他の割符画像との重ね合わせ位置を示す目印と、所定基本色からなる色見本とが透明シート上に印刷されてなる。
【００４４】
従って、請求項３の発明の電子的割符においては、以上のような手段を講じることにより、他の割符画像がディスプレイ上に表示されている場合であっても、重ね合わせを容易に行うことができるとともに、ディスプレイの色調整を行うことも可能となる。
【００４５】
請求項４の発明では、請求項３の発明の電子的割符において、透明シートが配布される配布先のＩＤ番号が、透明シート上に印刷されてなる。
【００４６】
従って、請求項４の発明の電子的割符においては、以上のような手段を講じることにより、透明シート上に印刷されているＩＤ番号を電子的割符装置側に提供することが可能となる。
【００４７】
【発明の実施の形態】
以下に、本発明の実施の形態について図面を参照しながら説明する。
【００４８】
なお、以下の実施の形態の説明に用いる図中の符号は、図１４と同一部分については同一符号を付して示すことにする。また、以下では、ディスプレイ上に表示された１つの割符画像と１枚の印刷された割符シートとの重ね合わせで説明するが、この他に、ディスプレイ上に表示された１つの割符画像と、２枚以上の印刷された割符画像を重ね合わせることで秘密画像を再生することも可能である。
【００４９】
本発明の実施の形態を図１から図１３を用いて説明する。
【００５０】
図１は、本発明の実施の形態に係る電子的割符方法を適用した電子的割符装置の一例を示すハードウェア構成図であり、図２は、本発明の実施の形態に係る電子的割符方法を適用した電子的割符装置の一例を示すシステム構成図である。
【００５１】
本発明の実施の形態に係る電子的割符方法を適用した電子的割符装置のハードウェア構成は、図１に示すように、２つのタイプが存在する。すなわち、図１（ａ）に示すように、単独のコンピュータ１とディスプレイ２とで構成するスタンドアローン型と、図１（ｂ）に示すように、ディスプレイ２およびプリンタ３を備えたクライアント計算機５と、サーバ計算機６とが、それぞれモデム等の通信装置７，８を介してネットワーク９で接続されているクライアント・サーバ型である。スタンドアローン型、クライアント・サーバ型ともに、それぞれ専用のハードウエアを用いて構成することもできるが、汎用的なＰＣなどで構成することにより安価に作成することが可能である。
【００５２】
図１（ａ）に示すようなスタンドアローン型の場合、割符画像の生成から表示まで全てを単独のコンピュータ１とディスプレイ２とプリンタ３とで行う。コンピュータ１の内部機能構成は、図２（ａ）のシステム構成図に示す通りであり、入力部１１と、全体制御部１２と、割符生成部１３と、割符調整部１４と、割符データベース（割符ＤＢ）１５とを備えている。
【００５３】
入力部１１は、割符画像を生成する場合に必要となる割符の組み合わせ情報と、割符画像情報と、復元すべき画像である秘密画像と、画像復号時に利用するディスプレイ２の仕様情報（すでに分かっている場合のみ）や、その他の情報を受け付ける。なお、割符画像情報とは、割符画像の大きさ、色数など組み合せ情報以外で割符作成に必要な情報のことである。また、その他の情報とは、発行部、有効期限など割符の生成や再生には直接関係ないが必要な情報のことである。後述するように図３に示されている番号Ｂは、このその他の情報に含まれる。入力部１１は、入力されたこれらの情報を全体制御部１２に出力する。
【００５４】
割符の組み合わせ情報とは、各割符を組み合わせた時に、どの秘密画像が再生されるかを決定する情報である。図１３は、この割符の組み合わせの一例であり、割符画像ａと割符画像ｂとを重ねると１等の画像が、割符画像ａと割符画像ｂとを重ねると２等の画像が、以下同様にして再生されることを表している。
【００５５】
全体制御部１２は、入力部１１から入力された情報のうち、割符の組み合せ情報と、割符画像情報と、秘密画像とを割符作成部１３に出力する。また、入力部１１から入力された情報のうち、割符画像情報とディスプレイ２の仕様情報（すでに分かっている場合のみ）とを割符調整部１４に出力する。
【００５６】
割符生成部１３は、全体制御部１２から出力された情報に基づいて、電子的割符の割符画像を作成し、作成した割符画像を割符ＤＢ１５に出力する。この割符画像は、従来、紙やフィルムなどの印刷媒体に印刷していたものと同様であるが、入力部１１に入力された情報に基づいてリアルタイムで作成することも可能としている。また、割符の組み合わせ情報、割符画像情報、秘密画像もまた割符ＤＢ１５に出力する。
【００５７】
割符調整部１４は、全体制御部１２から出力された情報に基づいて、電子的割符の割符画像のサイズや、色の調整を行い、割符調整情報を割符ＤＢ１５に出力する。この割符調整情報とは、調整に必要な情報であって、オリジナルの割符画像と表示する割符画像とのサイズの比率、色調整のための色変換テーブルなどを含んでいる。また、割符調整部１４は、ディスプレイ２の仕様情報も割符ＤＢ１５に出力する。
【００５８】
割符ＤＢ１５は、割符生成部１３から出力された割符の組み合わせ情報、割符画像情報、秘密画像、および割符画像を記憶する。また、割符調整部１４から出力されたディスプレイ２の仕様情報、割符調整情報を記憶する。また、入力部１１から全体制御部１２に入力されたその他の情報を、割符生成部１３または割符調整部１４を介して取得し、記憶する。
【００５９】
ディスプレイ２は、割符画像や説明画面を表示する。このようなディスプレイ２は、曲面になっているＣＲＴを用いることも可能であるが、平面ＣＲＴや液晶画面など平面となっているものが望ましい。
【００６０】
プリンタ３は、割符ＤＢ１５に記憶されている電子的割符の割符情報に基づいて、透明な印刷媒体である割符シートに割符画像を印刷する。図３に示すような割符シート１７には、割符画像Ａ、番号Ｂ、発効日Ｃ、有効期限Ｄなどの情報とともに、サイズ調整用マークＥ、色調整用パターンＦを印刷する。この番号Ｂに基づいて、割符シート１７に印刷されている割符画像の種類の判別を可能としている。番号Ｂとしては、割符シート１７毎に異なるシリアルナンバーでもよいし、種類別につけられた番号でもよい。また、必要に応じて、偽造防止のためにコピーけん制パターン（図示せず）などを含めても良い。また、番号Ｂはバーコードとして印刷し、バーコードリーダを介して読み取れるようしても良い。
【００６１】
サイズ調整用マークＥは、図３に示すとおり、割符シート１７上に３点以上（図３では４点の例を示している。）設け、他の割符シート１７やディスプレイ２上に表示された割符画像と正しく重ね合わせることができるように「×」印や「○」印などで描く。
【００６２】
また、色調整用パターンＦは、ディスプレイ２の特性に応じて色を調整するための基本色を表したパターンであって、割符画像が白黒の場合はグレイスケールのグラデーションパターンだけでよいが、割符画像がカラーの場合はＲ（赤）Ｇ（緑）Ｂ（青）それぞれを調整できるように、ＲＧＢのグラデーションパターンとする。色を調整するためには、グラデーションパターンだけでなく、特定の色パレットを印刷してもよい。特性が既知のディスプレイ２を利用する場合には、サイズ調整用マークＥと色調整用パターンＦとは必要ない。
【００６３】
このようなスタンドアローン型は、ネットワークに接続できない環境や、特にネットワークに接続する必要がない場合に利用する。
【００６４】
一方、図１（ｂ）に示すようなクライアント・サーバ型の場合、クライアント計算機５とサーバ計算機６とはそれぞれ通信装置７，８を介してネットワーク９によって互いに接続しており、クライアント計算機５とサーバ計算機６とで役割を分担して処理を行う。ネットワーク９としては、ＬＡＮなどのローカルなネットワーク、あるいはインターネットなどのオープンなネットワークのいずれでも構わない。クライアント計算機５およびサーバ計算機６の内部機能構成は、図２（ｂ）のシステム構成図に示すとおりであり、サーバ計算機６は、全体制御部１２と、割符生成部１３と、割符調整部１４と、割符データベース（割符ＤＢ）１５とを備えており、クライアント計算機５は、入力部１１と、ディスプレイ２と、プリンタ３とを備えている。これら各部位の構成については、図２（ａ）で説明したものと同じであるので、ここでは重複説明を避ける。また、プリンタ３は、サーバ計算機６側に備えていても良い。
【００６５】
次に、以上のように構成した本発明の実施の形態に係る電子的割符方法を適用した電子的割符装置の動作について説明する。
【００６６】
本発明の実施の形態に係る電子的割符方法を適用した電子的割符装置では、その処理内容が、元画像である秘密画像に基づいて電子的割符を作成する割符生成処理と、電子的割符を重ね合わせることにより秘密画像を復号する画像復元処理との２段階に大きく分かれる。なお、復号とは、図４に示すように、ユーザが、割符画像Ａが印刷された割符シート１７をディスプレイ２上におき、ディスプレイ２上に表示された割符画像Ａ’と重ね合わせ、秘密情報Ｓ（例えば、図４中に示す「ＰＡＴＴＥＲＮ」という文字情報）を取得することである。したがって、以下では、図５および図６に示すフローチャートを用いて割符生成処理および画像復号処理それぞれ毎の動作の流れを説明する。
【００６７】
（１）割符生成処理
本発明の実施の形態に係る電子的割符方法を適用した電子的割符装置によって割符生成処理を行う場合には、まず、利用する形態にあわせて割符の組み合わせを決定し、割符画像の元となる秘密画像Ｓを準備する。そして、割符の組み合わせ情報、割符画像情報、秘密画像Ｓ、その他の情報とを入力部１１から入力する（Ｓ１）。
【００６８】
次に、復号時に利用するディスプレイ２の仕様等が既知の場合にはディスプレイ２の仕様情報を入力部１１から入力する（Ｓ２）。仕様の情報としては、ディスプレイ２の大きさ、画素の大きさ、色の情報などである。復号時に利用するディスプレイ２が特定のものに固定されている場合、割符画像の画素の大きさなどを前もってディスプレイ２に合わせておくことで、復号時の調整は不要となる。
【００６９】
そして、ステップＳ１で入力された割符の組み合わせ情報、割符画像情報、秘密情報Ｓに基づいて、割符生成部１３で割符画像が生成される（Ｓ３）。生成された割符画像は、割符の組み合わせ情報、割符画像情報、秘密情報Ｓとともに復号時に利用するために割符ＤＢ１５に保存される。また、生成された割符画像自体を保存する代わりに、生成に必要な情報を割符ＤＢ１５に一旦格納しておき、復号時に再生成するようにしてもよい。この場合、復号時の割符の生成の負荷が増える代わりに、保存するデータ量を減らすことが可能となる。
【００７０】
最後に、ステップＳ３で生成された割符画像のうち、割符シート１７に印刷する割符画像Ａのみがプリンタ３から印刷される（Ｓ４）。
【００７１】
（２）画像復号処理
本発明の実施の形態に係る電子的割符方法を適用した電子的割符装置によって画像復号処理を行う場合には、まず、図７の入力画面例に示すように、割符シート１７に印刷されている番号Ｂなどの情報、サイズ調整情報、色調整情報を入力部１１から入力する（Ｓ１１）。割符シート１７に印刷されている割符画像が１種類で決まっている場合には、特に入力する必要はない。
【００７２】
次に、割符シート１７に印刷されているサイズ調整用マークＥを利用して、表示するディスプレイ２にあわせるための設定を行う（Ｓ１２）。実際には、図８に示すように、割符シート１７をディスプレイ２上の所定の位置に置き、サイズ調整用マークＥに対応するディスプレイ２上の位置を指定して調整を行う。この処理によって、割符シート１７とディスプレイ２のサイズとの対応を取るようにしている。
【００７３】
また、色調整用パターンＦを利用してディスプレイ２の色調整を行う。図９に示すように、ディスプレイ２には、色調整用パターンＦ’とスライダーバーＧとが表示されており、この色調整用パターンＦ’の色と、割符シート１７に印刷された色調整用パターンＦの色とを比較しながら、ディスプレイ２上の色が、割符シート１７に印刷されている色と同じになるようにスライダーバーＧを用いて調整する。色調整は、ＩＣＣプロファイルを利用したカラーマッチングの仕組みを利用して行ってもよい。この処理により、ディスプレイ２と割符シート１７との色を一致させる。以上で全ての調整は終了し、次の画面で割符画像の重ね合わせを行う。
【００７４】
そして、ステップＳ１１において入力された情報に基づいて、割符画像が割符ＤＢ１５に保存されている場合には、割符生成部１３によってその割符画像が引き出され、割符の組み合わせ情報、および秘密情報のみが保存されている場合にはその情報に基づいて、割符画像が生成される（Ｓ１３）。
【００７５】
更に、表示すべき割符画像Ａ’のサイズと色とを、ディスプレイ２の持つ既存の調節機能を用いて適切に調整する（Ｓ１４）。
【００７６】
更にまた、調整された割符画像Ａ’をディスプレイ２上に表示し、ユーザは、ディスプレイ２上に印刷された割符シート１７を重ねることで、図１０に示すように秘密情報Ｓを確認する（Ｓ１５）。
【００７７】
上述したように、本発明の実施の形態に係る電子的割符方法を適用した電子的割符装置においては、上記のような作用により、ディスプレイ２上に表示される割符画像Ａ’の大きさや色を、ディスプレイ２の特性に合わせて調整することができる。これによって、割符画像Ａ’をディスプレイ２上に表示する場合、同じ割符画像Ａ’でもディスプレイ２の種類や型式によって、表示される大きさや色のコントラストが変化するという問題を解決することが可能となる。
【００７８】
また、ディスプレイ２上に表示する割符画像Ａ’を復号時に変更することができるために、割符画像の組み合わせを柔軟に操作することが可能となる。その結果、従来の電子的割符よりも多くの組み合わせバリエーションを作り出すことが可能となる。
【００７９】
以下に、このような電子的割符装置を用いた応用例について紹介する。
【００８０】
本発明の応用例としては、図１１に示すように、店舗２０へ顧客２１を誘導するための販売促進に利用する例が考えられる。
【００８１】
この場合、先ず、顧客２１の店舗２０への誘致を目的に、まずダイレクトメールなどで割符シート１７を顧客２１へ送付する（Ｓ２１）。ダイレクトメール内には、商品情報とともに、キャンペーンとして割符シート１７を店舗２０へ持参すると特典商品があたるくじである旨が書かれてあり、顧客２１は店舗２０を訪れる意欲を喚起される。
【００８２】
顧客２１が実際に店舗２０を訪れると（Ｓ２２）、店舗２０内には、本発明の実施の形態に係る電子的割符方法を適用した電子的割符装置が設置されており、顧客２１が持参した割符シート１７に印刷された割符画像Ａを、ディスプレイ２上に表示された割符画像Ａ’と重ね合わせることによってくじを行い、当選内容に応じて特典商品を受け取ることになる（Ｓ２３）。
【００８３】
なお、ディスプレイ２は仕様が既知のものとし、予め調整を済ませておく。このような場合、割符シート１７上にサイズ調整用マークＥや色調整用パターンＦを印刷する必要はない。また、割符シート１７に印刷された割符画像Ａを、ディスプレイ２に表示された割符画像Ａ’に重ね合わせ易くするために、ディスプレイ２の画面が天井を向くように設置し、ディスプレイ２の上から割符シート１７を置くようにするとよい。
【００８４】
別の応用例として、車の販売会社である甲社は、新車の発売に合わせて、本発明による電子的割符を用いてキャンペーンを行うことを企画した。キャンペーンの目的は、ダイレクトメールを顧客２１に発送し、店舗２０に来てもらって試乗してもらうことである。顧客２１が割符画像が印刷された割符シート１７を店舗２０に持ってくると、店舗２０においてそのシートを利用したくじを引いてもらい、当選内容に応じて販売促進用の小物をわたすことにした。
【００８５】
なお、甲社としては、顧客２１の購買の可能性に応じて予め３段階にランク分けしており、ランクの高い顧客２１にはよりよい小物があたるように設定したいと考えている。
【００８６】
この場合、まず、甲社は、図１２（ａ）、図１２（ｂ）、および図１２（ｃ）に示すように、顧客２１にダイレクトメールに封入する形で２つの割符画像、すなわち、割符画像Ａ（１）および割符画像Ａ（２）が印刷された割符シート１７を送付する（Ｓ２１）。１枚の割符シート１７上に割符画像Ａが２枚印刷されている例は従来からある。このようなダイレクトメールを受け取った顧客２１は、割符シート１７を切取線Ｋから２分割して、割符画像Ａ（１）と割符画像Ａ（２）とを重ねることで１回目のくじを行う。
【００８７】
顧客２１は、くじの結果をもって店舗２０を訪れると（Ｓ２２）、当選内容に応じて小物を受け取ることができる。さらに、顧客２１が実際に店舗２０を訪れると、ディスプレイ２と、ダイレクトメールで送られてきた割符シート１７との組み合わせで、再度くじを引くことができるようになっている（Ｓ２３）。顧客２１からすると、店舗２０を訪れることで、ダイレクトメールで当選した小物がもらえるだけでなく、さらに店舗２０にて上位の当選を得ることが可能になり、店舗２０を訪問する意欲が喚起されることになる。また、試乗した顧客２１にはもう一度ディスプレイ２を利用してくじが引けるようにして、試乗する意欲を喚起することも可能である。
【００８８】
このようなことを可能にする例として、割符画像の組み合わせを図１３に示すように構成する。
【００８９】
まず、割符画像を６種類（割符画像ａ〜ｆ）用意する。当選の組み合わせは、割符画像ａと割符画像ｂとの場合を１等、割符画像ａと割符画像ｃとの場合を２等、割符画像ａと割符画像ｄとの場合を３等、割符画像ａと割符画像ｅとの場合を４等、割符画像ａと割符画像ｆとの場合を５等とする。
【００９０】
また、顧客２１の重要度は、図１２に示すように、重要度Ａ、重要度Ｂ、重要度Ｃの３段階とし、最重要Ａの顧客２１にはより高い等級があたるように設定する。
【００９１】
ダイレクトメールに封入する割符シート１７には、図１２（ａ）に示すように、重要度Ａの顧客２１には割符画像ａと、割符画像ｃまたは割符画像ｄとを印刷して２等か３等かが当選するように設定する。また、図１２（ｂ）に示すように、重要度Ｂの顧客２１には割符画像ａと、割符画像ｄまたは割符画像ｅとを印刷して３等か４等が当選するように設定する。更に、図１２（ｃ）に示すように、重要度Ｃの顧客２１には割符画像ａと、割符画像ｅまたは割符画像ｆとを印刷して４等か５等が当選するように設定する。
【００９２】
顧客２１が店舗２０を訪れると、店員は顧客２１が持参した割符シート１７を確認し、当選内容に応じた小物を渡す。更に、割符シート１７に印刷されている片方の割符シート１７をディスプレイ２上に置いてもらう。割符シート１７上には顧客２１ごとに顧客番号が印刷されており、この顧客番号を入力部１１から入力する。
【００９３】
この顧客番号によって、全体制御部１２は顧客２１の重要度を判定し、最重要度Ａに属する顧客２１には割符画像ｂか割符画像ｃかのどちらかをディスプレイ２から表示し、１等か２等が当選するようにする。また、重要度Ｂの顧客２１には割符画像ｃか割符画像ｄかのどちらかを、重要度Ｃの顧客２１には割符画像ｄか割符画像ｅかのどちらかを表示し、顧客２１の重要度に応じて当選する内容を変化させる。また、ここで入力した顧客番号は、訪問してもらった顧客情報として、後のマーケティングに役立てることが可能である。
【００９４】
この応用例において、顧客２１は店舗２０を訪れることでダブルチャンスで当選する可能性が高まり、訪問する意欲が喚起される。更に、試乗してもらった顧客２１には更にもう一度くじをすることができるので、試乗する意欲までが喚起されることになる。
【００９５】
以上説明したように、本発明の実施の形態に係る電子的割符方法を適用した電子的割符装置をキャンペーンに利用することによって、従来の印刷された電子的割符では不可能であった顧客２１の重要度に応じて当選する内容を変化させることが可能になり、キャンペーンの効果を高めることが可能となる。
【００９６】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００９７】
【発明の効果】
以上説明したように、本発明によれば、割符シートに印刷された割符画像に基づいて、所望の画像が復元できるような割符画像を作成し、この割符画像をディスプレイ上に表示することができる。
【００９８】
更に、この表示された割符画像と割符シートに印刷された割符画像とを重ね合わせることによって所望の画像を復元し、もって、所望の画像を復元時に変更することが可能な電子的割符、電子的割符装置、および電子的割符方法を実現することができる。
【図面の簡単な説明】
【図１】本発明の実施の形態に係る電子的割符方法を適用した電子的割符装置の一例を示すハードウェア構成図
【図２】同実施の形態に係る電子的割符方法を適用した電子的割符装置の一例を示すシステム構成図
【図３】割符シートの一例を示す模式図
【図４】割符シートに印刷された割符画像を、ディプレイ上に表示された割符画像に重ね合わせて行う復号処理を説明するための模式図
【図５】同実施の形態に係る電子的割符方法を適用した電子的割符装置における割符生成処理の動作を示すフローチャート
【図６】同実施の形態に係る電子的割符方法を適用した電子的割符装置における画像復号処理の動作を示すフローチャート
【図７】割符シートに印刷されている番号を受け付ける画面表示例を示す図
【図８】割符シートに印刷されている割符画像のサイズにあわせてディスプレイの設定を行う場合の条件入力を受け付ける画面表示例を示す図
【図９】割符シートに印刷されている割符画像の色にあわせてディスプレイの色調整を行う場合の画面表示例を示す図
【図１０】割符シートに印刷された割符画像と、ディスプレイに表示された割符画像とを重ね合わせて秘密情報を復元した状態の画面表示例を示す図
【図１１】同実施の形態に係る電子的割符方法を適用した電子的割符装置における画像復号処理を、店舗における販売促進に応用した場合の処理の流れを示す図
【図１２】割符画像が２枚印刷された割符シートの一例を示す模式図
【図１３】２つの割符画像が印刷された割符シートの一例を示す模式図
【図１４】２つの割符画像の重ね合わせパターンに応じて等級を変化させる場合の割符画像の組合せの一例を示す模式図
【符号の説明】
Ａ…割符画像
Ｂ…番号
Ｃ…発効日
Ｄ…有効期限
Ｅ…サイズ調整用マーク
Ｆ…色調整用パターン
Ｇ…スライダーバー
Ｓ…秘密情報
Ｋ…切取線
１…コンピュータ
２…ディスプレイ
３…プリンタ
５…クライアント計算機
６…サーバ計算機
７、８…通信装置
９…ネットワーク
１１…入力部
１２…全体制御部
１３…割符生成部
１４…割符調整部
１５…割符データベース
１７…割符シート
２０…店舗
２１…顧客
【図１】
0004590809.tif 000002
【図２】
0004590809.tif 000003
【図３】
0004590809.tif 000004
【図４】
0004590809.tif 000005
【図５】
0004590809.tif 000006
【図６】
0004590809.tif 000007
【図７】
0004590809.tif 000008
【図８】
0004590809.tif 000009
【図９】
0004590809.tif 000010
【図１０】
0004590809.tif 000011
【図１１】
0004590809.tif 000012
【図１２】
0004590809.tif 000013
【図１３】
0004590809.tif 000014
【図１４】
0004590809.tif 000015